(57)【特許請求の範囲】
【請求項１】
エレベータの乗籠の内部に設置される操作盤であって、
前記乗籠の位置を表示するインジケータ部と、
前記乗籠の行先階を登録するボタンが配置された登録操作部と、
前記エレベータの機能を点検するためのスイッチを内部に備えるスイッチ部と
前記インジケータ部、前記登録操作部、前記スイッチ部のそれぞれのおもて面を面一に保持するハウジングと
を備え、
前記登録操作部の長辺を鉛直に配置する場合は前記インジケータ部および前記スイッチ部をこの登録操作部に対して鉛直方向に並べた縦型に配置し、
前記登録操作部の長辺を水平に配置する場合は前記インジケータ部および前記スイッチ部をこの登録操作部の前記長辺に隣接させた横型に配置する
ことを特徴とする操作盤。
【請求項２】
前記縦型に配置する場合、前記乗籠の乗口の近傍に設置され、
前記横型に配置する場合、前記乗口が設けられた以外の前記乗籠の少なくとも１つの側壁に設置される
ことを特徴とする請求項１に記載の操作盤。
【請求項３】
前記乗口の近傍及び前記側壁のそれぞれに操作盤が設置される場合、前記スイッチ部は、前記乗口の近傍または前記側壁のどちらか一方に配置される
ことを特徴とする請求項２に記載の操作盤。
【請求項４】
前記縦型に配置する場合、前記インジケータ部と前記登録操作部と前記スイッチ部とのそれぞれの間の少なくとも１つにブランクを装着することを特徴とする請求項１に記載の操作盤。
【請求項５】
前記インジケータ部は、前記登録操作部の上側に配置し、
前記スイッチ部は、前記登録操作部の下側に配置し、
前記ブランクは、前記インジケータ部と前記登録操作部との間、及び前記スイッチ部と前記登録操作部との間の少なくとも一方に配置する
ことを特徴とする請求項４に記載の操作盤。
【請求項６】
前記横型に配置する場合、前記インジケータ部と前記スイッチ部との間にブランクを装着することを特徴とする請求項１に記載の操作盤。
【請求項７】
前記登録操作部の長辺の寸法は、この登録操作部に隣接して配置された前記インジケータ部と前記スイッチ部と前記ブランクとを並べた合計寸法と等しいことを特徴とする請求項６に記載の操作盤。
【請求項８】
前記インジケータ部、前記登録操作部、前記スイッチ部は、短辺の寸法が等しく、
前記登録操作部は、前記長辺の寸法が前記短辺の寸法の整数倍である
ことを特徴とする請求項１に記載の操作盤。
【請求項９】
前記ハウジングは、前記インジケータ部の外周形状と同じ寸法の第１のセグメントと、前記登録操作部の外周形状と同じ寸法の第２のセグメントと、前記スイッチ部の外周形状と同じ寸法の第３のセグメントとを備え、
前記第１のセグメントと前記第２のセグメントと前記第３のセグメントとは、隣り合う壁で互いに接合される
ことを特徴とする請求項１に記載の操作盤。
【請求項１０】
前記第１のセグメントと前記第２のセグメントと前記第３のセグメントは、少なくとも互いに接合される前記壁に各セグメントどうしを連通させる窓を有することを特徴とする請求項９に記載の操作盤。
【請求項１１】
前記縦型に配置する場合、前記インジケータ部と前記登録操作部と前記スイッチ部とのそれぞれの間の少なくとも１つにブランクを装着し、
前記ハウジングは、前記ブランクの外形寸法と同じ寸法の第４のセグメントを前記ブランクが配置される位置に備える
ことを特徴とする請求項１０に記載の操作盤。
【請求項１２】
前記横型に配置する場合、前記インジケータ部と前記スイッチ部との間にブランクを装着し、
前記ハウジングは、前記ブランクの外形寸法と同じ寸法の第４のセグメントを前記ブランクが配置される位置に備える
ことを特徴とする請求項１０に記載の操作盤。
【発明の詳細な説明】
【技術分野】
【０００１】
本発明は、エレベータの乗籠の内部に設置される操作盤に関する。
【背景技術】
【０００２】
エレベータの乗籠の内部に設置される操作盤は、籠ドア装置の戸袋側のリターンパネルに設置される縦型の操作盤と、車椅子利用者などのために乗籠の側壁のやや低い位置に設置される横型の操作盤とがある。
【０００３】
新設工事やリニューアル工事において乗籠を現地で組み立てる場合、縦型の操作盤を組み込む作業を簡素化するために、位置表示器、操作部、表面板などを一体に組み立てた表面枠を用意し、これを乗籠のリターンパネルに装着することが特許文献１に記載されている。この特許文献１は、位置表示器や操作部の配置を自由に考慮できるとともにこれらの意匠を自由に変えることができるとしている。
【０００４】
また、保守点検の際の作業性を考慮して、位置表示灯や操作部などを個別のユニットにしてリターンパネルに装着する縦型の操作盤が特許文献２に記載されている。特許文献２において操作盤は、上部体、中部体、下部体の３つで構成されている。上部体は、位置表示器を有し、中部体は、操作ボタンやランプなどを有している。下部体は、リターンパネルに予め組み付けられている。
【先行技術文献】
【特許文献】
【０００５】
【特許文献１】特開２００４−１８２３４号公報
【特許文献２】特開２００６−２５６７３６号公報
【発明の概要】
【発明が解決しようとする課題】
【０００６】
ところで、乗籠の側壁に設置される横型の操作盤は、その設置目的から操作ボタンや位置表示器の配置が縦型の操作盤とは異なっている。そのため、横型の操作盤の表面パネルは、縦型の操作盤のものと別にデザインされる。したがって、操作ボタンや位置表示器などの要素部品は共通して使用できても、表面パネルはエレベータの仕様に対応した種類だけ必要である。
【０００７】
また、保守点検の際に使用されるスイッチボックスも操作盤と一体に設けられるがそのエレベータの仕様に応じてスイッチボックスの仕様も異なる。位置表示器の種類、操作ボタンの種類及び数、スイッチボックスの種類など、仕様が異なるエレベータに個別に対応する操作盤の種類は、膨大になるため、受注に先んじて様々な種類の操作盤をストックしておくことが難しい。
【０００８】
そこで、本発明は、標準化された少ない種類の部品で多くの種類の仕様に対応できるエレベータの操作盤を提供する。
【課題を解決するための手段】
【０００９】
本発明の一実施形態の操作盤は、エレベータの乗籠の内部に設置され、インジケータ部と登録操作部とスイッチ部とハウジングとを備える。インジケータ部は、乗籠の位置を表示する。登録操作部は、乗籠の行先階を登録するボタンが配置される。スイッチ部は、エレベータの機能を点検するためのスイッチを内部に備える。ハウジングは、インジケータ部、前記登録操作部、前記スイッチ部のそれぞれのおもて面を面一に保持する。そして、登録操作部の長辺を鉛直に配置する場合はインジケータ部およびスイッチ部をこの登録操作部に対して鉛直方向に並べた縦型に配置し、登録操作部の長辺を水平に配置する場合はインジケータ部およびスイッチ部をこの登録操作部の長辺に隣接させた横型に配置する。
【００１０】
操作盤は、縦型に配置する場合、乗籠の乗口の近傍に設置され、横型に配置する場合、乗口が設けられた以外の乗籠の少なくとも１つの側壁に設置される。また、乗口の近傍及び側壁のそれぞれに操作盤が設置される場合、スイッチ部は、乗口の近傍または側壁のどちらか一方に配置する。
【００１１】
また、各部の相対位置を調整するために、操作盤を縦型に配置する場合、インジケータ部と登録操作部とスイッチ部とのそれぞれの間の少なくとも１つにブランクを装着する。このとき、インジケータ部を登録操作部の上側に配置し、スイッチ部を登録操作部の下側に配置する場合、ブランクは、インジケータ部と登録操作部との間、及びスイッチ部と登録操作部との間の少なくとも一方に配置する。また、操作盤を横型に配置する場合、インジケータ部とスイッチ部との間にブランクを装着する。
【００１２】
横型の操作盤にした場合、外観形状を整えるために、登録操作部の長辺の寸法は、この登録操作部に隣接して配置されたインジケータ部とスイッチ部とブランクとを並べた合計寸法と等しくする。または、インジケータ部、登録操作部、スイッチ部は、それぞれ短辺の寸法を等しくし、登録操作部は、長辺の寸法が短辺の寸法の整数倍に設ける。
【００１３】
また、操作盤を縦型または横型のいずれかに構成した場合に、インジケータ部と登録操作部とスイッチ部との配置に合わせてハウジングを構成しやすいように、ハウジングは、インジケータ部の外周形状と同じ寸法の第１のセグメントと、登録操作部の外周形状と同じ寸法の第２のセグメントと、スイッチ部の外周形状と同じ寸法の第３のセグメントとを備える。そして、第１のセグメントと第２のセグメントと第３のセグメントとは、隣り合う壁面で互いに接合する。このとき、インジケータ部と登録操作部とスイッチ部の信号線などを少なくとも通すために、第１のセグメントと第２のセグメントと第３のセグメントは、少なくとも互いに接合される壁面に各セグメントどうしを連通させる窓を有する。
【００１４】
登録操作部の長辺を鉛直に配置し、インジケータ部と登録操作部とスイッチ部とのそれぞれの間の少なくとも１つにブランクを装着する場合、または、登録操作部の長辺を水平に配置し、インジケータ部とスイッチ部との間にブランクを装着する場合、ハウジングは、このブランクの外形寸法と同じ寸法の第４のセグメントをブランクが配置される位置に備える。
【発明の効果】
【００１５】
本発明の操作盤によれば、インジケータ部と登録操作部とスイッチ部とを縦型にも横型にも組み合わせることができる。つまり、縦型と横型のそれぞれに対応させて別々に操作盤を作らなくてもよいので、部品の種類が減り、製造コストが軽減される。また、インジケータ部、登録操作部、スイッチ部のそれぞれ仕様に応じて異なる場合でも、仕様の異なっている部分のみを変更するだけでよい。
【００１６】
また、インジケータ部と登録操作部とスイッチ部とのそれぞれの間の少なくとも１つにブランクを装着する操作盤は、インジケータ部、登録操作部、スイッチ部のそれぞれの相対的な配置を調整するのが容易である。操作盤を縦型に配置し、インジケータ部を登録操作部の上側に、スイッチ部を登録操作部の下側に各々配置する場合、インジケータ部と登録操作部との間、スイッチ部と登録操作部との間の少なくとも一方にブランクを装着すると、登録操作部の高さ位置が調整される。操作盤を横型に配置する場合、インジケータ部とスイッチ部との間にブランクを配置することで、登録操作部のボタンの数が多い場合でも登録操作部の長辺の長さに合わせてブランクで調整される。ブランクを加えることで、インジケータ部、登録操作部、スイッチ部の形状を変えることなく、操作盤のレイアウトの微調整ができる。
【００１７】
インジケータ部、登録操作部、スイッチ部のそれぞれ短辺の寸法を等しくし、登録操作部の長辺の寸法を短辺の寸法の整数倍に設ける操作盤は、操作盤を縦型に設置する場合、水平方向の寸法が揃うだけでなく、操作盤を横型に設置する場合も、操作盤の水平方向の寸法を揃えやすい。登録操作部の長辺の寸法が短辺の寸法の２倍であるときは、インジケータ部とスイッチ部を横並びにした寸法と同じであるし、長辺の寸法が短辺の寸法の３倍以上であるときは、インジケータ部及びスイッチ部と同じ大きさのブランクを必要数だけ装着することで、容易に形状を整えることができる。
【００１８】
ハウジングに第１のセグメントと第２のセグメントと第３のセグメントとを備える操作盤は、操作盤を縦型または横型のいずれかに構成した場合に、縦型及び横型に配置するのにあわせてハウジングをそれぞれ用意することなく、インジケータ部と登録操作部とスイッチ部との配置に合わせて第１のセグメントと第２のセグメントと第３のセグメントを組み合わせればよい。これによりさらに操作盤の部品の種類を減らすことができる。
【００１９】
第１のセグメントと第２のセグメントと第３のセグメントとの接合部に窓を有している操作盤によれば、窓を通してインジケータ部と登録操作部とスイッチ部の信号線などを通すことができるとともに、セグメントどうしを接合するボルトなどの締結部材を内側から装着することができるので、ハウジングよりも外側に突出するものが無い。さらに、ブランクを装着する場合、このブランクに対応する第４のセグメントを配置する操作盤によれば、操作盤のインジケータ部、登録操作部、スイッチ部のレイアウトに合わせて第１のセグメントと第２のセグメントと第３のセグメントの間にブランクとともに第４のセグメントを組み込めばよい。
【００２０】
インジケータ部と第１のセグメント、登録操作部と第２のセグメント、スイッチ部と第３のセグメントのそれぞれの組み合わせは、操作盤が縦型であるか横型であるかにかかわらず変わらない。また、各部の仕様が変わってもそれに対応するセグメントどうしを組み合わせることでその操作盤に必要なハウジングが作られる。このように、仕様に合わせてインジケータ部と登録操作部とスイッチ部を自由に組み合わせることができる。したがって、受注に先駆けて各部ごとに仕様が異なる種類のストックを用意しておくだけで、これらを組み合わせて多様な仕様に対応することができる。
【図面の簡単な説明】
【００２１】
【図１】本発明の第１の実施形態の操作盤が設置された乗籠の中を示す斜視図。
【図２】図１に示した縦型の操作盤の分解斜視図。
【図３】図１に示した横型の操作盤の分解斜視図。
【図４】本発明の第２の実施形態の操作盤を示す分解斜視図。
【図５】図４に示した縦型の操作盤と同じ部品を用いた横型の操作盤の分解斜視図。
【図６】本発明の第３の実施形態の操作盤を示す分解斜視図。
【発明を実施するための形態】
【００２２】
本発明の第１の実施形態の操作盤１Ａ，１Ｂは、図１〜図３を参照して説明する。この操作盤１Ａ，１Ｂは、図１に示すように、エレベータの乗籠１０１の内部に設置される。この乗籠１０１は、操作盤として縦型の操作盤１Ａと横型の操作盤１Ｂとをそれぞれ１つずつ有している。縦型の操作盤１Ａは、乗籠１０１の乗口１０２の近傍となる前壁１０３に設置される。この実施形態において縦型の操作盤１Ａは、図１に示すように乗籠１０１の中から見て乗口１０２の右側に配置されている。横型の操作盤１Ｂは、乗口１０２が設けられた以外の乗籠１０１の側壁に配置される。この実施形態において横型の操作盤１Ｂは、図１に示すように乗籠１０１の中から見ての乗口１０２の左側の側壁１０４に配置されており、車椅子利用者や背の低い子供が操作しやすい高さに設置される。
【００２３】
縦型の操作盤１Ａは、図１および図２に示すように、インジケータ部１１と登録操作部１２とスイッチ部１３とハウジング１４Ａとを備えている。縦型の操作盤１Ａは、登録操作部１２の長辺１２ａを鉛直に配置し、さらに、インジケータ部１１とスイッチ部１３とをこの登録操作部１２に対して鉛直方向に並べて配置している。
【００２４】
横型の操作盤１Ｂは、図１および図３に示すように、インジケータ部１１と登録操作部１２とブランク１５とハウジング１４Ｂとを備えている。横型の操作盤１Ｂは、登録操作部１２の長辺１２ａを水平方向にし、インジケータ部１１およびブランク１５をこの登録操作部１２の長辺１２ａに隣接して配置している。本実施形態では、図１および図３に示すように登録操作部１２の上側にインジケータ部１１とブランク１５が配置されている。
【００２５】
また、本実施形態では、図１に示すように縦型の操作盤１Ａにスイッチ部１３を備えているので、横型の操作盤１Ｂは、スイッチ部１３を備えておらず、代わりにブランク１５が装着されている。横型の操作盤１Ｂにスイッチ部１３を備える場合は、縦型の操作盤１Ａのスイッチ部１３をブランク１５に置き換える。また、縦型の操作盤１Ａおよび横型の操作盤１Ｂは、同じ仕様のインジケータ部１１および登録操作部１２が採用される。
【００２６】
この実施形態では、インジケータ部１１の短辺１１ｂと登録操作部１２の短辺１２ｂとスイッチ部１３の短辺１３ｂとブランク１５の短辺１５ｂは同じ寸法Ｗに設けられている。また、インジケータ部１１の長辺１１ａとブランク１５の長辺１５ａは、同じ寸法に設けられている。そして、登録操作部１２の長辺１２ａは、短辺１２ｂの整数倍に設けられる。本実施形態では、長辺１２ａの寸法Ｔは、短辺１２ｂの寸法Ｗの２倍に設けられている。なお、スイッチ部１３の長辺１２ａは、インジケータ部１１の長辺１１ａと同じ寸法に設けられている。この実施形態においてスイッチ部１３は、縦型の操作盤１Ａに設けられるので、長辺１３ａの寸法がインジケータ部１１の長辺１１ａと違っていてもよい。
【００２７】
インジケータ部１１は、図２および図３に示すように表示モジュール１１１と表面プレート１１２とを備える。表示モジュール１１１は、乗籠１０１の位置および移動方向などを表示する。表面プレート１１２は、表示モジュール１１１を表面に露出させる開口部１１２ａを有し、表示モジュール１１１が背後から取り付けられている。
【００２８】
登録操作部１２は、図２および図３に示すように行先階ボタン１２１と表面プレート１２２とを備える。行先階ボタン１２１は、乗籠１０１の行先階を登録するために設けられており、操作されることによって該当する行先階を目的階として登録する。表面プレート１２２は、行先階ボタン１２１を露出させる開口部１２２ａを有し、各行先階ボタン１２１が背後から取り付けられている。行先階ボタン１２１は、縦型および横型のいずれに操作盤が設けられても、階床表示が利用者に対して正立させて取り付けることができるように構成されている。
【００２９】
登録操作部１２は、この他に図２および図３に示すように、開いているドア装置を閉じるための閉ボタン１２３、閉じかけたドア装置を開くための開ボタン１２４、非常時に管理センタ等へ通報するための非常ボタン１２５を備えている。これらのボタン１２３，１２４，１２５も、表面プレート１２２に設けられた開口部１２２ａを通して表に露出するように表面プレート１２２の背後から取り付けられている。
【００３０】
スイッチ部１３は、図２に示すようにスイッチ１３１と表面プレート１３２と蓋１３３とを備えている。スイッチ１３１は、エレベータの機能を点検する際に作業員が操作するために設けられており、表面プレート１３２よりも奥まった位置に配置されるパネル１３１ａに取り付けられている。表面プレート１３２は、スイッチ１３１を操作するために開口部１３２ａが設けられている。蓋１３３は、表面プレート１３２と面一にこの開口部１３２ａを覆って取り付けられる。蓋１３３は、図２に示すロック機構１３３ａを備えており、通常運転されているときは図１に示すように施錠され閉じられている。蓋１３３は、保守点検などの際、ロック機構１３３ａが鍵によって解錠され、図２に示すように開かれる。本実施形態において蓋１３３は、下端部を支点に回動する。蓋１３３の構造は、これに限らず、右端または左端を支点に回動する構造でもよいし、スライド式でもよいし、取外し式でもよい。
【００３１】
縦型の操作盤１Ａのハウジング１４Ａは、インジケータ部１１、登録操作部１２、スイッチ部１３のそれぞれのおもて面を構成する表面プレート１１２，１２２，１３２どうしを面一に保持する。このハウジング１４Ａは、図２に示すように各表面プレート１１２，１２２，１３２が前壁１０３の表面と面一になるように、各表面プレート１１２，１２２，１３２の厚み分だけ前壁１０３の表面よりも奥まって設けられている。ハウジング１４Ａは、インジケータ部１１と登録操作部１２とスイッチ部１３を鉛直方向に並べた場合の水平方向幅及び鉛直方向長さと同じ外形の箱であって、インジケータ部１１と登録操作部１２とスイッチ部１３の背部に露出する信号線などを覆う。ハウジング１４Ａは、インジケータ部１１と登録操作部１２とスイッチ部１３の外周を支持するフランジ１４１を有している。インジケータ部１１と登録操作部１２とスイッチ部１３は、フランジ１４１に設けられたネジ孔１４２に乗籠１０１の内側からビス１４３を止めることによって、ハウジング１４Ａに固定される。
【００３２】
横型の操作盤１Ｂのハウジング１４Ｂは、図３に示すようにインジケータ部１１と登録操作部１２のそれぞれおもて面を構成する表面プレート１１２，１２２およびブランク１５を面一に保持する。なお、横型の操作盤１Ｂにブランク１５の代わりにスイッチ部１３が配置される場合は、このスイッチ部１３の表面を構成する表面プレート１３２がブランク１５の代わりにインジケータ部１１及び登録操作部１２の表面プレート１１２，１２２と面一に保持される。
【００３３】
また、このハウジング１４Ｂは、縦型の操作盤１Ａのハウジング１４Ａと同様に、表面プレート１１２，１２２およびブランク１５のおもて面が側壁１０４の表面と面一になるように、表面プレート１１２，１２２およびブランク１５の厚み分だけ側壁１０４の表面より奥まって設けられている。ハウジング１４Ｂは、図３に示すように水平方向に登録操作部１２の長辺１２ａと同じ長さを有し、鉛直方向に登録操作部１２の短辺１２ｂとインジケータ部１１の長辺１１ａを足し合わせた長さを有している。
【００３４】
また、横型の操作盤１Ｂのハウジング１４Ｂは、図３に示すように、インジケータ部１１と登録操作部１２とブランク１５の外周縁を支持するフランジ１４１と、インジケータ部１１と登録操作部１２との境界部および登録操作部１２とブランク１５との境界部を支持するビーム１４４とを備える。インジケータ部１１と登録操作部１２とブランク１５は、図３に示すようにフランジ１４１およびビーム１４４に設けられたネジ孔１４２に乗籠１０１の内側からビス１４３を止めることによって、ハウジング１４Ｂに固定される。
【００３５】
以上のように構成された操作盤１Ａ，１Ｂは、インジケータ部１１と登録操作部１２とに同一のものを採用する。また、スイッチ部１３とブランク１５は、仕様に応じて縦型の操作盤１Ａおよび横型の操作盤１Ｂのどちらにも組み込める。つまり同じ部品を利用して、縦型の操作盤１Ａと横型の操作盤１Ｂを作ることができる。したがって、操作盤１Ａ，１Ｂの部品の種類が減り、製造コストが軽減される。
【００３６】
また、仕様の異なる操作盤を作る場合でも、仕様に応じたインジケータ部１１と登録操作部１２とスイッチ部１３を組み合わせて操作盤を作ればよい。したがって、多様な仕様にも容易に対応しやすい。
【００３７】
本発明の第２の実施形態の操作盤１Ａ，１Ｂは、図４および図５を参照して説明する。第１の実施形態における縦型の操作盤１Ａが前壁１０３の一部を刳り貫いて設置されていたのに対し、図４に示す縦型の操作盤１Ａは、乗籠の床から天井まで達する高さを有した、いわゆる「フルハイト操作盤」である。また、図５に示す横型の操作盤１Ｂは、図４に示す縦型の操作盤１Ａのインジケータ部１１と登録操作部１２とスイッチ部１３を第１の実施形態の横型の操作盤１Ｂと同様に配置したものである。縦型の操作盤１Ａにもスイッチ部１３が設けられているので、横型の操作盤１Ｂのスイッチ部１３は、ブランク１５であってもよいし、縦型のスイッチ部１３がブランク１５であってもよい。
【００３８】
本実施形態の図４に示す縦型の操作盤１Ａは、インジケータ部１１と、登録操作部１２と、スイッチ部１３と、ブランク１６１，１６２，１６３，１６４と、ハウジング１７とを備える。また図５に示す横型の操作盤１Ｂは、インジケータ部１１と、登録操作部１２と、スイッチ部１３と、ハウジング１７とを備える。なお、インジケータ部１１と登録操作部１２とスイッチ部１３は、第１の実施形態と同じであるので、図４および図５中において第１の実施形態と同じ構成には同一の符号を付し、これらの詳細は第１の実施形態を参酌し、ここでの説明を省略する。
【００３９】
縦型の操作盤１Ａのブランク１６１，１６２，１６３，１６４は、エレベータの仕様に合わせて、インジケータ部１１と登録操作部１２とスイッチ部１３との位置を調整するために設けられている。ブランク１６１は、インジケータ部１１の上側に配置され、ブランク１６２は、インジケータ部１１と登録操作部１２の間に配置され、ブランク１６３は、登録操作部１２とスイッチ部１３の間に配置され、ブランク１６４は、スイッチ部１３の下側に配置される。各ブランク１６１，１６２，１６３，１６４の大きさは、エレベータの仕様に応じて設定される。したがって、数種類の基準長さのものを用意しておき、求められる寸法に応じてこれらを組み合わせて採用してもよい。なお、インジケータ部１１と登録操作部１２の間のブランク１６２および登録操作部１２とスイッチ部１３の間のブランク１６３は、行先階ボタン１２１がたくさん設けられる場合などエレベータの仕様によって採用されない場合もある。
【００４０】
縦型の操作盤１Ａのハウジング１７は、図４に示すように第１のセグメント１７１と、第２のセグメント１７２と、第３のセグメント１７３と、第４のセグメント１７４とを備え、これらが連結されて構成されている。第１のセグメント１７１は、インジケータ部１１の外周形状と同じ寸法を有している。第２のセグメント１７２は、登録操作部１２の外周形状と同じ寸法を有している。第３のセグメント１７３は、スイッチ部１３の外周形状と同じ寸法を有している。第４のセグメント１７４は、ブランク１６１，１６２，１６３，１６４のそれぞれに対応する外形寸法と同じ寸法をそれぞれ有している。つまり、第４のセグメント１７４は、ブランク１６１，１６２，１６３，１６４のそれぞれに対応して異なる大きさに設けられる。
【００４１】
各セグメントは、インジケータ部１１、登録操作部１２、スイッチ部１３、ブランク１６１，１６２，１６３，１６４の外周縁を支持するフランジ１７１ａ，１７２ａ，１７３ａ，１７４ａを備える。インジケータ部１１、登録操作部１２、スイッチ部１３、ブランク１６１，１６２，１６３，１６４は、それぞれに対応するセグメントのフランジ１７１ａ，１７２ａ，１７３ａ，１７４ａに設けられたネジ孔１７１ｂにビス１７１ｃ，１７２ｃ，１７３ｃ，１７４ｃが装着されることによって、それぞれ固定される。
【００４２】
図５に示す横型の操作盤１Ｂのハウジング１７は、インジケータ部１１に対応する第１のセグメント１７１と、登録操作部１２に対応する第２のセグメント１７２と、スイッチ部１３に対応する第３のセグメント１７３とで構成される。この操作盤１Ｂは、図５に示すように登録操作部１２の長辺１２ａの寸法Ｔが、短辺１２ｂの寸法Ｗのちょうど整数倍、本実施形態では第１の実施形態と同様に２倍に設けられている。登録操作部１２の長辺１２ａの寸法Ｔが短辺１２ｂの寸法Ｗの２倍以上の場合は、インジケータ部１１とスイッチ部１３の間に別途ブランクを配置し、このブランクに対応する大きさの第４のセグメントを第１のセグメント１７１と第３のセグメント１７３の間に装着する。
【００４３】
また、第１のセグメント１７１、第２のセグメント１７２、第３のセグメント１７３、第４のセグメント１７４は、図４および図５に示すように、縦型の操作盤１Ａとして図４に示すように組み合わされる場合および横型の操作盤１Ｂとして図５に示すように組み合わされる場合に互いにそれぞれ接合される壁に、少なくとも窓１７１ｄ，１７２ｄ，１７３ｄ，１７４ｄを備えている。さらに、隣り合うように配置されたセグメントどうしを連結するために、第１のセグメント１７１、第２のセグメント１７２、第３のセグメント１７３、第４のセグメント１７４は、窓１７１ｄ，１７２ｄ，１７３ｄ，１７４ｄの周囲にボルト孔１７１ｅ，１７２ｅ，１７３ｅ，１７４ｅを有している。
【００４４】
図４に示す縦型の操作盤１Ａおよび図５に示す横型の操作盤１Ｂは、いずれも表面プレート１１２，１２２，１３２およびブランク１６１，１６２，１６３，１６４が、第１の実施形態と同様に、互いに面一に設けられる。
【００４５】
以上のように構成された第２の実施形態の操作盤１Ａ，１Ｂは、インジケータ部１１、登録操作部１２、スイッチ部１３に同じ部品を使用して、縦型にも横型にも組み合わせることができる。このとき、ハウジング１７を構成する第１のセグメント１７１、第２のセグメント１７２、第３のセグメント１７３も、インジケータ部１１、登録操作部１２、スイッチ部１３に対応して同じように、縦型にも横型にも組み合わせることができる。インジケータ部１１、登録操作部１２、スイッチ部１３のそれぞれの大きさが、エレベータの仕様に応じて異なる場合、これらに対応してセグメント１７１，１７２，１７３も用意される。
【００４６】
つまり、行先階ボタン１２１の数によって長辺１２ａの寸法Ｔが異なる登録操作部１２を採用して数種類の操作盤１Ａ，１Ｂを作る場合でも、その登録操作部１２に対応する第２のセグメント１７２を適用することで、インジケータ部１１および第１のセグメント１７１と、スイッチ部１３および第３のセグメント１７３は、同じものをすべての操作盤１Ａ，１Ｂに採用できる。そしてインジケータ部１１の短辺１１ｂとスイッチ部１３の短辺１３ｂを足し合わせた寸法よりも登録操作部１２の長辺１２ａの寸法Ｔの方が大きい場合、インジケータ部１１および第１のセグメント１７１とスイッチ部１３および第３のセグメント１７３との間に、ブランクと第４のセグメントを挿入すればよい。
【００４７】
このように、第２の実施形態の操作盤１Ａ，１Ｂによれば、仕様が同じ部分は、共通して同じ部品を採用することができるとともに、仕様の違いに応じて様々な大きさのハウジングを用意しておかなくても、異なる大きさのハウジング１７を少ない種類の部品から組むことができる。
【００４８】
本発明の第３の実施形態の操作盤１Ｂは、図６を参照して説明する。図６に示す横型の操作盤１Ｂは、第２の実施形態の操作盤１Ａ，１Ｂと基本的な構成が同じである。そこで、インジケータ部１１、登録操作部１２、スイッチ部１３について、第１の実施形態と同じ符号を付してその説明は第１の実施形態の記載を参酌し、ブランク１６１，１６２，１６３，１６４およびハウジング１７については、第２の実施形態と同じ符号を付してその説明は第２の実施形態の記載を参酌する。
【００４９】
図６の操作盤１Ｂは、登録操作部１２の長辺１２ａの寸法Ｔが第２の実施形態の場合よりも長く、短辺１２ｂの寸法Ｗの整数倍、この実施形態では、３倍である。そして、インジケータ部１１とスイッチ部１３の間にブランク１６５を配置し、第１のセグメント１７１と第３のセグメント１７３の間に第４のセグメント１７４を配置している。このとき、インジケータ部１１の短辺１１ｂとスイッチ部１３の短辺１３ｂは、登録操作部１２の短辺１２ｂと同じ寸法Ｗである。つまり、第１のセグメント１７１と第３のセグメント１７３と第４のセグメント１７４の水平方向寸法および鉛直方向寸法はそれぞれ同じであるので、これらは、１種類の同じ部品を採用できる。
【００５０】
このように、第２の実施形態の場合と同じように、縦型の操作盤１Ａと同じ部品を用いて横型の操作盤１Ｂを作る場合、第３の実施形態の登録操作部１２のように長辺１２ａの寸法Ｔが短辺１２ｂの寸法Ｗの２倍以上になるようであれば、その長辺１２ａの寸法Ｔは、短辺１２ｂの寸法Ｗの整数倍になるように設定する。インジケータ部１１とスイッチ部１３とブランク１６５の背後に取り付けられるセグメントを１種類の部品にすることができるので、操作盤１Ａ，１Ｂを構成するために必要となる部品の種類が大幅に減少し、製造コストも低く抑えることができる。
【００５１】
なお、登録操作部１２の長辺１２ａの寸法Ｔが短辺１２ｂの寸法Ｗの４倍、５倍、またはそれ以上になる場合、その寸法に応じた１つの第４のセグメント１７４を入れるのではなく、短辺が寸法Ｗの第４のセグメント１７４を２つ、３つ、またはそれ以上、必要な数だけ取り付ける。このようにすることで、第４のセグメントどうしの接合部は、ブランク１６５にとって補強部材の役割を果たす。このとき、ブランク１６５は、第４のセグメントごとに設けてもよいし、複数の第４のセグメントを１枚のブランク１６５で覆うように設けてもよい。１枚のブランク１６５にすることで、乗籠１０１の内側の見栄えがよくなる。
【符号の説明】
【００５２】
１Ａ，１Ｂ…操作盤、１１…インジケータ部、１２…登録操作部、１２…長辺１２ａ、１２ｂ…短辺、１２１…行先階ボタン（ボタン）、１３…スイッチ部、１３１…スイッチ、１４Ａ，１４Ｂ…ハウジング、１５…ブランク、１７…ハウジング、１０１…乗籠、１０２…乗口、１０４…側壁、１６２，１６３，１６５…ブランク、１７１…第１のセグメント、１７２…第２のセグメント、１７３…第３のセグメント、１７４…第４のセグメント、１７１ｄ，１７２ｄ，１７３ｄ，１７４ｄ…窓、Ｔ…（登録操作部の長辺の）寸法、Ｗ…（短辺の）寸法。
【図１】
0005424261.tif 000002
【図２】
0005424261.tif 000003
【図３】
0005424261.tif 000004
【図４】
0005424261.tif 000005
【図５】
0005424261.tif 000006
【図６】
0005424261.tif 000007